(57)【要約】      （修正有）【課題】MMCマイクロのスロットにもマイクロSDのスロットにも対応できるミニメモリカードを提供する。【解決手段】ミニメモリカードは第一厚さ及び第一幅からなる第一ケースと、第一設備接続標準に合うとともに前記第一設備接続標準に対応する設備を介するミニメモリカードのメモリに対するアクセスを許容する、前記第一ケースの一端に形成される第一設備コネクターと、第二厚さと第二幅からなり、前記第一ケースと一体に結合される第二ケースと、メモリカードにおける第一設備コネクターとの反対側、即ち前記第二ケースの一端に形成され、第二設備接続標準に合うとともに、前記第二設備接続標準に対応する設備を介するミニメモリカードのメモリに対するアクセスを許容する第二設備コネクターとを含む。【選択図】図５
0003133426.tif 000002
【実用新案登録請求の範囲】
【請求項１】
第一厚さ及び第一幅からなる第一ケースと、
第一設備接続標準に合い、且つ前記第一設備接続標準に対応する設備を介するミニメモリカードのメモリに対するアクセスを許容する、前記第一ケースの一端に形成される第一設備コネクターと、
前記第一ケースの前記第一厚さ及び前記第一幅と異なる第二厚さと第二幅からなる、前記第一ケースとで一体に結合される第二ケースと、
前記メモリカードにおける前記第一設備コネクターとの反対側、即ち前記第二ケースの一端に形成され、第二設備接続標準に合い、且つ前記第二設備接続標準に対応する設備を介するミニメモリカードのメモリに対するアクセスを許容する第二設備コネクターとを含むことを特徴とするミニメモリカード。
【請求項２】
前記第一設備コネクターが複数個の第一接触端子を含み、前記第二設備コネクターが複数個の第二接触端子を含むことを特徴とする請求項1に記載するミニメモリカード。
【請求項３】
前記第一設備コネクターが１０個の第一接触端子を含み、前記第二設備コネクターが８個の第二接触端子を含むことを特徴とする請求項2に記載するミニメモリカード。
【請求項４】
前記第二設備接続標準はMMCマイクロ標準で前記第一設備接続標準はマイクロSD標準であることを特徴とする請求項2に記載するミニメモリカード。
【考案の詳細な説明】
【技術分野】
【０００１】
本考案はミニメモリカードに係わり、特に多種多様なパターンで用いることができるミニメモリカードに関する。
【背景技術】
【０００２】
パーソナル電子デバイスの小型化と複雑化に従い、小型メモリカードに対するニーズが増加している。ミニフラッシュメモリのメモリカードはすでに発売されており、リムーバブルメモリカードに対応する小型電子デバイスで用いられている。
【０００３】
図１に従来技術であるMMCマイクロ（登録商標）メモリカード１０の正面図、図２に従来技術であるマイクロ（登録商標）SDメモリカード２０の正面図を示す。MMCマイクロメモリカード１０とマイクロSDメモリカード２０はミニフラッシュメモリとみなされているが、MMCマイクロメモリカード１０はMMCマイクロのスロットでしか読み取ることができず、マイクロSDのスロットでは読み取りができない。マイクロSDメモリカード２０にも同様の問題があり、MMCマイクロのスロットでは読み取りが不可能である。
【０００４】
従って、MMCマイクロメモリカード１０とマイクロSDメモリカード２０の大きさは類似しているが、互換性の問題により、ユーザーはメモリカードとスロットの対応を確保しなくてはならなくなり、不便である。
【考案の開示】
【考案が解決しようとする課題】
【０００５】
本考案の主な目的は、上記の問題を解決するために、MMCマイクロのスロットにもマイクロSDのスロットにも対応できるミニメモリカードを提供することである。
【課題を解決するための手段】
【０００６】
本考案の最適な実施例に基づく、ミニメモリカードを示す。前記ミニメモリカードは、第一厚さ及び第一幅からなる第一ケースと、第一設備接続標準に合うとともに前記第一設備接続標準に対応する設備を介するミニメモリカードのメモリに対するアクセスを許容する、前記第一ケースの一端に形成される第一設備コネクターと、前記第一ケースの前記第一厚さ及び第一幅と異なる第二厚さと第二幅からなり、前記第一ケースと一体に結合される第二ケースと、メモリカードにおける第一設備コネクターとの反対側、即ち前記第二ケースの一端に形成され、第二設備接続標準に合うとともに、前記第二設備接続標準に対応する設備を介するミニメモリカードのメモリに対するアクセスを許容する第二設備コネクターとを含む。
【０００７】
本考案のミニメモリカードのメリットは第一設備接続標準にも第二設備接続標準にも対応することである。これから、本考案のミニメモリカードは三種類の異なるタイプのスロットに用いられる。即ち、第一設備接続標準のスロット、第二設備接続標準のスロット、第一と第二接続標準両方のメモリカードのスロット。
【０００８】
本考案の特徴と技術内容をさらに理解してもらうために以下に本考案に関わる詳細な説明と図面を示すが、すべての図は参考と説明のみのために用いられるものであり、本考案を制限するものではない。
【考案の効果】
【０００９】
【考案を実施するための最良の形態】
【００１０】
(実施例)
【００１１】
図３に本考案のミニメモリカード１００の正面図を示す。ミニメモリカード１００は第一ケース１１０と第二ケース１２０を含み、両者はともに結合し一つの完全なケースを形成している。第一ケース１１０はMMCマイクロメモリカード標準に対応し、第二ケース１２０はマイクロSDメモリカード標準に対応している。この他、ミニメモリカード１００は第一ケース１１０と第二ケース１２０によりデータ読み取りと書込みができる新しいメモリカード標準を形成する。従って、ミニメモリカード１００は三種類の異なるミニメモリカードの規格に対応している。前記三種類の規格はMMCマイクロメモリカード標準、マイクロSDメモリカード標準、新規のミニメモリカード１００の規格である。
【００１２】
図４にミニメモリカード１００の正面透視図を示す。図に示すように、第一ケース１１０は第二ケース１２０より厚く幅が広い。これはMMCマイクロメモリカードとマイクロSDメモリカードの規格寸法が異なるためである。図５にミニメモリカード１００の裏面透視図を示す。第一ケース１１０が10個の第一接触端子１１２を含み、第二ケースは八個の第二接触端子１２２を含む。
【００１３】
図６と図７にそれぞれミニメモリカード１００の正面図と裏面図を示す。図８は図６により示されるミニメモリカード１００の上端縁を示す図であり、図９は図６により示されるミニメモリカード１００の下端縁を示す図である。図８と図９に示すように、第一ケース１１０が第一厚さd１を有し、第一ケースの底部の有する第二厚さd２になるまで徐徐に薄くなっていく。同様に、第二ケース１２０が第三厚さd３を有し、第二ケースの底部の有する第四厚さd４になるまで徐徐に薄くなっていく。MMCマイクロメモリカード標準の厚さがマイクロSDメモリカード標準の厚さよりも大きいので、第一厚さd１は第三厚さd３よりも大きくなる。図１０と図１１は図６によって示されるミニメモリカード１００の左側面図と右側面図である。
【００１４】
図１２はミニメモリカード１００の裏面図であり、第一接触端子１１２と第二接触端子１２２のパッド番号を示している。第一接触端子１１２の番号は1から10、第二接触端子１２２の番号は１１から１８までである。図13はミニメモリカードが異なるパターンで稼動する時の接触端子の機能を示すテーブルである。ミニメモリカード１００がMMCマイクロメモリカード標準或いはマイクロSDメモリカード標準により用いられたとき、全部で四つのデータ接触端子によりデータの読み取りと書き込みを行なう。しかし、第一接触端子１１２と第二接触端子１２２を同時に用いるとき、ミニメモリカード１００はMMC4.0標準に対応でき、且つ8個のデータ接触端子を用いることができる。従って、第一接触端子１１２と第二接触端子１２２を同時に用いてデータの読み取り或いは書込みをするとき、ミニメモリカード１００は2倍のデータ伝送量を提供することができる。
【００１５】
以上述べたことをまとめれば、本考案のミニメモリカード１００はMMCマイクロメモリカード標準にもマイクロSDメモリカード標準にも対応できる。ミニメモリカード１００はさらに新規仕様に対応することができ、第一接触端子１１２と第二接触端子１２２上のトータル18個の端子（Mini Din）により、4個ではなく8個のデータ端子（Mini Din）を用いることで、データ伝送速度を倍増できる。
【００１６】
しかし、以上述べたことは、本考案における最良の実施例の詳細な説明と図にすぎず、本考案の特徴はこれだけに限られず、本考案を制限するものではない。本考案のすべての範囲は上記の請求範囲に準じ、本考案の請求範囲の主旨と類似した実施例に合致し、本考案の範疇に属する。この領域を熟知している技術者が、本特許の範囲内で、手を加え、変更したものはすべて、上記の本考案の権利保護の範囲内に含まれる。  
【図面の簡単な説明】
【００１７】
【図１】図１は従来技術であるMMCマイクロTMメモリカード１０を示す正面図。
【図２】図２は従来技術であるマイクロSDメモリカード１０を示す正面図。
【図３】図３は本考案のミニメモリカードを示す正面図。
【図４】図4は本考案のミニメモリカードを示す正面透視図。
【図５】図5はミニメモリカードを示す裏面透視図。
【図６】図6はミニメモリカードを示す正面図。
【図７】図7はミニメモリカードを示す裏面図。
【図８】図８は図７により示されるミニメモリカードの上端縁を示す図。
【図９】図９は図６により示されるミニメモリカードの下端縁を示す図。
【図１０】図１０は図６によって示されるミニメモリカードの左側面図。
【図１１】図１１は図６によって示されるミニメモリカードの右側面図。
【図１２】図１２はミニメモリカードを示す裏面図。第一接触端子と第二接触端子のパッド番号を示している。
【図１３】図１３は異なるパターンでのミニメモリカードにおける接触端子の機能を説明するテーブル。
【符号の説明】
【００１８】
１０ MMCマイクロメモリカード
２０ マイクロSDメモリカード
１００  ミニメモリカード
１１０ 第一ケース
１２０  第一ケース
１１２  第一接触端子
１２２  第二接触端子
d1  第一厚さ
d2  第二厚さ
d3  第三厚さ
d4  第四厚さ
【図１】
0003133426.tif 000003
【図２】
0003133426.tif 000004
【図３】
0003133426.tif 000005
【図４】
0003133426.tif 000006
【図５】
0003133426.tif 000007
【図６】
0003133426.tif 000008
【図７】
0003133426.tif 000009
【図８】
0003133426.tif 000010
【図９】
0003133426.tif 000011
【図１０】
0003133426.tif 000012
【図１１】
0003133426.tif 000013
【図１２】
0003133426.tif 000014
【図１３】
0003133426.tif 000015